(57)【要約】【課題】楽な着用感、着用者の動きに対する高い追従性、及び、バストの高い造形性を得ることができるカップ部を有する衣類を提供する。【解決手段】本発明の一実施形態に係るブラジャー１は、バストを覆うためのカップ部１０を有する衣類であって、カップ部１０の下辺部１０ｌに沿って設けられ、湾曲形状をなすカップくり部であって、湾曲形状の保持力に反して湾曲形状の前中心側先端と脇側先端との間隔を広げるために要する引張強度が小さい当該カップくり部２０と、カップ部１０の下部においてカップ部１０の形状に沿ってカップくり部２０の前中心側端部２１から脇側端部２２まで延在し、非伸縮性又は難伸縮性を有し、カップくり部２０の前中心側先端と脇側先端との間隔の広がりを抑制する拡張抑制部４０とを備える。【選択図】図１
2014196582.tif 000002
【特許請求の範囲】
【請求項１】
バストを覆うためのカップ部を有する衣類において、
前記カップ部の下辺部に沿って設けられ、湾曲形状をなすカップくり部であって、前記湾曲形状の保持力に反して前記湾曲形状の前中心側先端と脇側先端との間隔を広げるために要する引張強度が小さい当該カップくり部と、
前記カップ部の下部において前記カップ部の形状に沿って前記カップくり部の前中心側端部から脇側端部まで延在し、非伸縮性又は難伸縮性を有し、前記カップくり部の前記前中心側先端と前記脇側先端との間隔の広がりを抑制する拡張抑制部と、
を備える、カップ部を有する衣類。
【請求項２】
前記拡張抑制部は、前記カップ部の形状に沿って、前記カップくり部の前記前中心側端部と前記脇側端部とを結ぶ最短線上に位置する、
請求項１に記載のカップ部を有する衣類。
【請求項３】
前記拡張抑制部は、前中心側から脇側へ向けて上下方向の幅が次第に広くなるように形成されており、前記カップくり部の前記前中心側端部から、前記カップくり部の前記脇側端部及び前記カップ部の上辺部脇側まで延在している、
請求項１又は２に記載のカップ部を有する衣類。
【請求項４】
前記拡張抑制部は、前記カップ部の下部において前記カップ部の表面に沿って延在している、
請求項１〜３の何れか１項に記載のカップ部を有する衣類。
【請求項５】
前記カップくり部の前記引張強度であって、前記湾曲形状の保持力に反して前記湾曲形状の前中心側先端と脇側先端との間隔を１ｃｍ広げるために要する前記引張強度が１５０ｃＮ以下である、
請求項１〜４の何れか１項に記載のカップ部を有する衣類。
【請求項６】
前記カップくり部にはカップワイヤーが装着されており、
前記カップワイヤーは湾曲形状をなしており、
前記湾曲形状の保持力に反して前記湾曲形状の前中心側先端と脇側先端との間隔を１ｃｍ広げるために要する前記カップワイヤーの引張強度が１５０ｃＮ以下である、
請求項１〜５の何れか１項に記載のカップ部を有する衣類。
【請求項７】
前記カップワイヤーは樹脂材料からなる、
請求項６に記載のカップ部を有する衣類。
【発明の詳細な説明】
【技術分野】
【０００１】
本発明は、バストを覆うためのカップ部を有する衣類に関するものである。
【背景技術】
【０００２】
特許文献１には、バストを覆うためのカップ部を有する衣類として、ブラジャーが開示されている。このブラジャーは、カップ部の下辺部に設けられたカップくり部（カップ支持部）にワイヤーを使用しないノンワイヤータイプのブラジャー、又は、剛性が低いワイヤーをカップくり部に用いたワイヤータイプのブラジャーであり、楽な着用感を得ることができるとしている。
【０００３】
また、このブラジャーは、非着用状態においてもカップ部を立体的に保持するための保形布を備えている。この保形布は、非着用状態において、カップくり部の前中心側端部と脇側端部とを互いに引き寄せるように、カップ部の裏側（肌側）に、カップ部から浮かして、架け渡されている。なお、保形布は、伸縮性素材からなり、着用状態ではバストに押圧されて変位するので、カップ部をバストにフィットさせることができるとしている。これにより、楽な着用感が得られるにも関わらず、バストの造形性にも優れるとしている。
【先行技術文献】
【特許文献】
【０００４】
【特許文献１】特開２０１１−２３６５２４号公報
【発明の概要】
【発明が解決しようとする課題】
【０００５】
特許文献１に記載のブラジャーでは、着用者が動くと（例えば、上半身をひねると）、保形布の変位が不十分となり、カップ部及びカップくり部がバストからずれてしまう（例えば、浮いてしまう）可能性がある。
【０００６】
そこで、本発明は、楽な着用感、着用者の動きに対する高い追従性、及び、バストの高い造形性を得ることができるカップ部を有する衣類を提供することを目的としている。
【課題を解決するための手段】
【０００７】
本発明のカップ部を有する衣類は、バストを覆うためのカップ部を有する衣類において、カップ部の下辺部に沿って設けられ、湾曲形状をなすカップくり部であって、湾曲形状の保持力に反して湾曲形状の前中心側先端と脇側先端との間隔を広げるために要する引張強度が小さい当該カップくり部と、カップ部の下部においてカップ部の形状に沿ってカップくり部の前中心側端部から脇側端部まで延在し、非伸縮性又は難伸縮性を有し、カップくり部の前中心側先端と脇側先端との間隔の広がりを抑制する拡張抑制部とを備える。ここで、「引張強度が小さい」とは、ノンワイヤーブラジャーや樹脂ワイヤーを用いたブラジャー等のような、一般的に使用される金属ワイヤーを用いたブラジャーよりも湾曲形状の前中心側先端と脇側先端との間隔を広げるために要する引張強度が小さいということである。
【０００８】
このカップ部を有する衣類によれば、カップくり部が柔らかく、広がりやすく、着用者が動いても（例えば、上半身をひねっても）着用者に馴染んでフィットするので、楽な着用感を得ることができる。
【０００９】
また、このカップ部を有する衣類によれば、カップくり部が広がりやすいので、着用者の動き（例えば、上半身をひねる動作）に伴い、カップくり部及びカップ部がバストに対してずれることを抑制することができる。したがって、バストに対するカップくり部及びカップ部の追従性を高めることができる。
【００１０】
また、このカップ部を有する衣類によれば、拡張抑制部がカップくり部の広がりを抑制するので、カップくり部が広がり過ぎることにより、カップ部が上下方向に潰れてカップ部上部がバストを押さえてしまうことを防止することができる。すなわち、カップ部の保形性を高めることができる。したがって、バストの造形性を高めることができる。
【００１１】
上記した拡張抑制部は、カップ部の形状に沿って、カップくり部の前中心側端部と脇側端部とを結ぶ最短線上に位置してもよい。これによれば、カップくり部の広がりを効率的に抑制することができる。
【００１２】
また、上記した拡張抑制部は、前中心側から脇側へ向けて上下方向の幅が次第に広くなるように形成されており、カップくり部の前中心側端部から、カップくり部の脇側端部及びカップ部の上辺部脇側まで延在していてもよい。これによれば、カップ部の上辺部脇側に取り付けられるストラップ部の引き上げ力を利用して、拡張抑制部がバストを上げるように作用するので、バストの造形性をより高めることができる。
【００１３】
また、上記した拡張抑制部は、カップ部の下部においてカップ部の表面に沿って延在していてもよい。これによれば、拡張抑制部をカップ部に対する当て布等によって容易に製造することができる。
【００１４】
また、上記したカップくり部の引張強度であって、湾曲形状の保持力に反して湾曲形状の前中心側先端と脇側先端との間隔を１ｃｍ広げるために要する引張強度が１５０ｃＮ以下であってもよい。これによれば、ノンワイヤーブラジャーや樹脂ワイヤーを用いたブラジャー等のような、一般的に使用される金属ワイヤーを用いたブラジャーよりも湾曲形状の前中心側先端と脇側先端との間隔を広げるために要する引張強度が小さいものとなる。
【００１５】
また、上記したカップくり部にはカップワイヤーが装着されており、カップワイヤーは湾曲形状をなしており、湾曲形状の保持力に反して湾曲形状の前中心側先端と脇側先端との間隔を１ｃｍ広げるために要するカップワイヤーの引張強度が１５０ｃＮ以下であってもよい。
【００１６】
これによれば、カップワイヤーが柔らかく、広がりやすく、着用者が動いても（例えば、上半身をひねっても）着用者に馴染んでフィットするので、楽な着用感を得ることができる。
【００１７】
また、カップワイヤーが広がりやすいので、着用者の動き（例えば、上半身をひねる動作）に伴い、カップワイヤー及びカップ部がバストに対してずれることを抑制することができる。したがって、バストに対するカップワイヤー及びカップ部の追従性を高めることができる。
【００１８】
また、拡張抑制部がカップワイヤーの広がりを抑制するので、カップワイヤーが広がり過ぎることにより、カップ部が上下方向に潰れてカップ部上部がバストを押さえてしまうことを防止することができる。すなわち、カップ部の保形性を高めることができる。したがって、バストの造形性を高めることができる。
【００１９】
また、上記したカップワイヤーは樹脂材料からなる形態であってもよい。樹脂ワイヤーは、金属ワイヤーと比べて、柔らかく、広がりやすく、着用者が動いても（例えば、上半身をひねっても）着用者に馴染んでフィットするので、楽な着用感を得ることができる。
【発明の効果】
【００２０】
本発明によれば、楽な着用感、着用者の動きに対する高い追従性、及び、バストの高い造形性を得ることができる。
【図面の簡単な説明】
【００２１】
【図１】本発明の第１の実施形態に係るブラジャーを示す斜視図である。
【図２】第１の実施形態の変形例に係るブラジャーを示す斜視図である。
【図３】第１の実施形態の変形例に係るブラジャーを示す斜視図である。
【図４】第１の実施形態の変形例に係るブラジャーを示す斜視図である。
【図５】本発明の第２の実施形態に係るブラジャーを示す斜視図である。
【図６】（ａ）ヌード状態のとき、（ｂ）本実施形態を着用したとき、（ｃ）第１の比較例を着用したとき、（ｄ）第２の比較例を着用したときのバストを前側からみたモアレ等高線解析結果を示す図である。
【図７】（ａ）ヌード状態のとき、（ｂ）本実施形態を着用したとき、（ｃ）第１の比較例を着用したとき、（ｄ）第２の比較例を着用したときのバストを横側からみたモアレ等高線解析結果を示す図である。
【発明を実施するための形態】
【００２２】
以下、図面を参照して本発明のカップ部を有する衣類の好適な実施形態について詳細に説明する。なお、各図面において同一又は相当の部分に対しては同一の符号を附すこととする。
［第１の実施形態］
【００２３】
図１は、本発明の第１の実施形態に係るブラジャーを示す斜視図である。第１の実施形態のブラジャー１は、カップ部１０と、土台部１２と、バック部１４と、ストラップ部１６と、カップくり部２０と、カップワイヤー３０と、拡張抑制部４０とを備えている。なお、ブラジャー１は左右略対称であるので、以下では左右の一方のみによって説明する。
【００２４】
カップ部１０は、バストを覆うためのものであり、例えば、三枚の布地を略Ｔ字状の接ぎ目を有するように接ぎ合わせることにより立体的に形成される（Ｔ字状三枚接ぎカップ部）。カップ部１０は、土台部１２に支持されている。土台部１２は、非伸縮性の布からなっており、カップ部１０の下辺部１０ｌと縫着されている。土台部１２の脇側には、バック部１４が縫着されている。バック部１４は、伸縮性の布からなっており、背中において連結することによって、土台部１２及びカップ部１０を支持するためのものである。また、カップ部１０の上辺部脇側には、ストラップ部１６が縫着されている。ストラップ部１６は、伸縮性のテープ材からなっており、肩を介してバック部１４に連結されることによって、カップ部１０を支持するためのものである。
【００２５】
また、カップ部１０と土台部１２との境界の裏側（肌側）には、カップ部１０の下辺部１０ｌに沿ってバイアステープ部材が縫着されることにより、カップくり部２０が形成されている。このカップくり部２０の内部には、カップワイヤー３０が装着されている。また、カップ部１０の下部の表側には、拡張抑制部４０が設けられている。以下では、カップくり部２０、カップワイヤー３０、及び、拡張抑制部４０について詳細に説明する。
【００２６】
カップくり部２０及びカップワイヤー３０は、バージスラインに沿うように湾曲形状をなしている。カップワイヤー３０は、比較的に柔らかく（剛性が低く）、カップワイヤー３０を内蔵するカップくり部２０を広げるために要する引張強度は、ノンワイヤーブラジャーや樹脂ワイヤーを用いたブラジャー等のような、一般的に使用される金属ワイヤーを用いたブラジャーよりも小さい。例えば、カップワイヤー３０を１ｃｍ広げるために要する引張強度が１５０ｃＮ以下であり、その結果、カップワイヤー３０を内蔵するカップくり部２０を１ｃｍ広げるために要する引張強度も１５０ｃＮ以下である。ここで、カップくり部２０又はカップワイヤー３０を１ｃｍ広げるために要する引張強度とは、湾曲形状の保持力（湾曲形状の回復力）に反して、湾曲形状の前中心側先端と脇側先端との間隔を１ｃｍ広げるために要する引張強度である。
【００２７】
このような引張強度を実現するために、カップワイヤー３０としては、柔らかめの金属ワイヤー、又は、樹脂ワイヤー等が適用可能である。樹脂ワイヤーは、金属ワイヤーと比べて、強度上、ある程度の太さ（厚み、幅）が必要になるが、柔らかく、広がりやすく、着用者が動いても（例えば、上半身をひねっても）着用者に馴染んでフィットするので、楽な着用感を得ることができる。一方、金属ワイヤーは、樹脂ワイヤーと比べて、同等の柔らかさを実現するときの太さ（厚み、幅）が小さくなるので、見た目がよいブラジャーを実現することができる。
【００２８】
次に、拡張抑制部４０は、カップ部１０の下部において、カップ部１０の表面に沿って、カップくり部２０の前中心側端部２１から脇側端部２２まで延在している。具体的には、拡張抑制部４０の上辺部４１が、カップ部１０の表面上において、カップくり部２０の前中心側端部２１と脇側端部２２とを結ぶ最短線上に位置しており、拡張抑制部４０の下辺部４２が、カップ部１０の下辺部１０ｌ、すなわちカップくり部２０に沿って位置している。
【００２９】
換言すれば、拡張抑制部４０は、カップワイヤー３０の前中心側端部３１から脇側端部３２まで延在している。具体的には、拡張抑制部４０の上辺部４１が、カップ部１０の表面上において、カップワイヤー３０の前中心側端部３１と脇側端部３２とを結ぶ最短線上に位置しており、拡張抑制部４０の下辺部４２が、カップ部１０の下辺部１０ｌ、すなわちカップワイヤー３０に沿って位置している。
【００３０】
拡張抑制部４０の下辺部４２は、カップ部１０に縫着されており、拡張抑制部４０の他の部分はカップ部１０に非縫着である。また、拡張抑制部４０は、非伸縮性又は難伸縮性の部材からなる。
【００３１】
この拡張抑制部４０は、カップくり部２０及びカップワイヤー３０が広がろうとすると、バスト下部に接する中央部４３が支点となり、カップくり部２０及びカップワイヤー３０の広がりを抑制するように作用する。なお、拡張抑制部４０による抑制力は、カップくり部２０及びカップワイヤー３０の必要な広がりまで抑制するものではない。
【００３２】
以上説明したように、この第１の実施形態のブラジャー１によれば、カップくり部２０及びカップワイヤー３０が柔らかく、広がりやすく、着用者が動いても（例えば、上半身をひねっても）着用者に馴染んでフィットするので、楽な着用感を得ることができる。
【００３３】
また、第１の実施形態のブラジャー１によれば、カップくり部２０及びカップワイヤー３０が広がりやすいので、着用者の動き（例えば、上半身をひねる動作）に伴い、カップくり部２０、カップワイヤー３０及びカップ部１０がバストに対してずれることを抑制することができる。したがって、バストに対するカップくり部２０、カップワイヤー３０及びカップ部１０の追従性を高めることができる。
【００３４】
また、第１の実施形態のブラジャー１によれば、拡張抑制部４０がカップくり部２０及びカップワイヤー３０の広がりを抑制するので、カップくり部２０及びカップワイヤー３０が広がり過ぎることにより、カップ部１０が上下方向に潰れてカップ部１０上部がバストを押さえてしまうことを防止することができる。すなわち、カップ部１０の保形性を高めることができる。したがって、バストの造形性を高めることができる。
［第１の実施形態の変形例］
【００３５】
図２〜４は、第１の実施形態の変形例のブラジャーを示す図である。図２に示すように、拡張抑制部４０の上辺部４１は、第１の実施形態よりも上方に位置していてもよい。なお、この変形例でも、拡張抑制部４０の上辺部４１は、カップ部１０の表面上において、カップくり部２０の前中心側端部２１と脇側端部２２とを結ぶ最短線上に位置している。換言すれば、拡張抑制部４０の上辺部４１は、カップ部１０の表面上において、カップワイヤー３０の前中心側端部３１と脇側端部３２とを結ぶ最短線上に位置している。この変形例では、拡張抑制部４０の前中心側辺部４４及び脇側辺部４５もカップ部１０に縫着されている。この変形例でも、拡張抑制部４０によって、カップくり部２０及びカップワイヤー３０の広がりを抑制することができる。
【００３６】
また、図３に示すように、拡張抑制部４０の上辺部４１は、第１の実施形態よりも下方に位置していてもよい。なお、この変形例でも、拡張抑制部４０の上辺部４１は、カップ部１０の表面上において、カップくり部２０の前中心側端部２１と脇側端部２２とを結ぶ最短線上に位置している。換言すれば、拡張抑制部４０の上辺部４１は、カップ部１０の表面上において、カップワイヤー３０の前中心側端部３１と脇側端部３２とを結ぶ最短線上に位置している。この変形例でも、拡張抑制部４０によって、カップくり部２０及びカップワイヤー３０の広がりを抑制することができる。
【００３７】
また、図４に示すように、拡張抑制部４０の下辺部４２は、第１の実施形態よりも上方に位置していてもよい。すなわち、拡張抑制部４０は帯状であってもよい。具体的には、拡張抑制部４０の上辺部４１及び下辺部４２は、カップ部１０の表面上において、カップくり部２０の前中心側端部２１と脇側端部２２とを結ぶ最短線上に位置している。換言すれば、拡張抑制部４０の上辺部４１及び下辺部４２は、カップ部１０の表面上において、カップワイヤー３０の前中心側端部３１と脇側端部３２とを結ぶ最短線上に位置している。この変形例では、拡張抑制部４０の前中心側辺部４４がカップくり部２０の前中心側端部２１に縫着されており、拡張抑制部４０の脇側辺部４５がカップくり部２０の脇側端部２２に縫着されており、拡張抑制部４０の他の部分は非縫着である。この変形例でも、拡張抑制部４０によって、カップくり部２０及びカップワイヤー３０の広がりを抑制することができる。
［第２の実施形態］
【００３８】
図５は、本発明の第２の実施形態に係るブラジャーを示す斜視図である。第２の実施形態のブラジャー１Ａは、ブラジャー１において拡張抑制部４０に代えて拡張抑制部４０Ａを備えている構成で第１の実施形態と異なっている。ブラジャー１Ａの他の構成は、ブラジャー１と同一である。
【００３９】
拡張抑制部４０Ａは、前中心側から脇側へ向けて上下方向の幅Ｗが次第に広くなるように形成されており、カップ部１０の表面に沿って、カップくり部２０の前中心側端部２１から、カップくり部２０の脇側端部２２及びカップ部１０の上辺部脇側まで延在している。換言すれば、拡張抑制部４０Ａは、カップワイヤー３０の前中心側端部３１から、カップワイヤー３０の脇側端部３２及びカップ部１０の上辺部脇側まで延在している。
【００４０】
拡張抑制部４０Ａの上辺部４１以外の下辺部４２、前中心側辺部４４、及び、脇側辺部４５、４６は、カップ部１０に縫着されており、拡張抑制部４０Ａの他の部分はカップ部１０に非縫着である。また、拡張抑制部４０Ａは、拡張抑制部４０と同様の部材からなる。
【００４１】
この第２の実施形態のブラジャー１Ａでも、第１の実施形態のブラジャー１と同様の利点を得ることができる。更に、第２の実施形態のブラジャー１Ａによれば、ストラップ部１６の引き上げ力を利用して、拡張抑制部４０Ａがバストを上げるように作用するので、バストの造形性をより高めることができる。
【００４２】
なお、本発明は上記した本実施形態に限定されることなく種々の変形が可能である。例えば、本実施形態では、カップワイヤー３０を備えるブラジャーを例示したが、本実施形態の特徴は、カップワイヤーを備えないノンワイヤータイプのブラジャーにも適用可能である。例えば、ノンワイヤータイプのブラジャーでも、カップくり部を１ｃｍ広げるために要する引張強度が１５０ｃＮ以下と小さいことは明らかであり、本実施形態と同様の利点を得ることができる。
【００４３】
また、本実施形態では、拡張抑制部４０，４０Ａがカップ部１０の表面に沿って延在しているブラジャーを例示したが、拡張抑制部４０，４０Ａがカップ部１０の裏面に沿って延在していてもよい。
【００４４】
また、本実施形態では、Ｔ字状三枚接ぎカップ部１０の下部表面に拡張抑制部４０，４０Ａを当て布の形態で設けたが、カップ部に２以上の異なる特性の素材を用いて、拡張抑制部をカップ部の下部の部材と一体とし、接ぎ合わせ構造によって形成してもよい。
【００４５】
また、本実施形態では、ストラップ部１６をカップ部１０の上辺部脇側に縫着したが、ストラップ部は、Ｚカン等の係合部材を介してカップ部１０の上辺部脇側に着脱可能に係合されてもよい。
【００４６】
また、本実施形態では、バック部１４の後端をホック等で掛け留めするタイプのブラジャーを例示したが、本実施形態の特徴は、前中心において土台部１２の左右を分離してホック等で掛け留めするフロントホックタイプのブラジャーにも適用可能である。
【００４７】
また、本実施形態の特徴は、フルカップブラジャー、３／４カップブラジャー及び１／２カップブラジャー等のすべてのタイプのブラジャーに適用可能である。
【００４８】
また、本実施形態の特徴は、ブラジャー以外でも、ブラスリップ、ブラキャミソール、ボディスーツ、カップ付きテディ、水着等のようにカップ部を備える衣類であればすべてに適用可能である。
【実施例１】
【００４９】
図５に示す本発明の実施形態のブラジャー１を実施例として製作し、１７歳〜２４歳のモニタ１７名（サイズは、Ｂ７０〜Ｄ７０まで様々）による評価を行った。この評価では、実施例と従来品との対比評価を行った。
【００５０】
ここで、本実施例に対して対比を行った従来品は、他社の商品であって、いずれも１０歳代後半〜２０歳代の女性に好まれているものである。これらの従来品の特徴及び仕様は次のとおりである。
従来品Ａ：楽な着用感とバストの高い造形性とを両立するものであり、これらのうちの楽な着用感を比較的に優先したタイプのブラジャーである。
従来品Ｂ：楽な着用感とバストの高い造形性とを両立するものであり、これらのうちのバストの造形性を比較的に優先したタイプのブラジャーである。
【００５１】
また、実施例及び従来品のカップワイヤー特性、拡張抑制部の有無は以下の通りである。
実施例：樹脂ワイヤーを使用。ワイヤーを１ｃｍ広げるために要する引張強度は約７５ｃＮ。
従来品Ａ：柔らかい金属ワイヤーを使用。ワイヤーを１ｃｍ広げるために要する引張強度は、通常のブラジャーに使用される金属ワイヤーのそれ約３５０ｃＮより小さい。拡張抑制部なし。
従来品Ｂ：金属ワイヤーを使用。ワイヤーを１ｃｍ広げるために要する引張強度は約１６４ｃＮ。拡張抑制部なし。
（評価１）
【００５２】
本評価では、それぞれ、本発明の実施例と従来品Ａとを対比して、どちらが優れていると感じたかを問うた。この評価結果を表１に示す。表１では、本発明の実施例が優れているとの回答を丸印で、どちらともいえないとの回答を三角印で、従来品の方がよいとの回答をばつ印で示している。なお、本評価結果は、活動シーンを想定した可動域の大きい動作後のものである。
【００５３】
ここで、１０歳代後半〜２０歳代では、ブラジャーの機能としてバストの造形性を重視する造形派の割合に対して、楽な着用感を重視する着け心地派の割合が少なくない。そこで、本評価結果では、着け心地派と造形派とに分けて示している。
【表１】
2014196582.tif 000003
【００５４】
この評価結果によれば、楽な着用感、及び、動きへの追従性において、楽な着用感を優先した従来品Ａと略同等の結果が得られた。この優劣において着目すべきは、造形性の点において、従来品Ａよりも良いと感じる人数が多く、着け心地派のならず、造形派の評価が高い点である。
（評価２）
【００５５】
本評価では、本発明の実施例及び各比較例を着用したバストを撮影した後、それぞれのモアレ等高線解析を行った。これらの解析結果を図６及び図７に示す。図６は、（ａ）ヌード状態のとき、（ｂ）本実施形態を着用したとき、（ｃ）第１の比較例を着用したとき、（ｄ）第２の比較例を着用したときのバストを前側からみたモアレ等高線解析結果を示す図であり、図７は、（ａ）ヌード状態のとき、（ｂ）本実施形態を着用したとき、（ｃ）第１の比較例を着用したとき、（ｄ）第２の比較例を着用したときのバストを横側からみたモアレ等高線解析結果を示す図である。
【００５６】
この評価結果によれば、本発明の実施例を着用したときのバストトップの位置Ｐが、楽な着用感を優先した従来品Ａを着用したときのバストトップの位置ＰＡより高く、バストの造形性を優先した従来品Ｂを着用したときのバストトップの位置ＰＢと同等であることがわかる。また、本発明の実施例を着用したときのバストトップ間距離Ｄが、従来品Ａを着用したときのバストトップ間距離ＤＡより小さく（すなわち、実施例のバストトップが従来品Ａより寄っており）、従来品Ｂを着用したときのバストトップ間距離ＤＢと同等であることがわかる。
【００５７】
以上より、本発明の実施例によれば、楽な着用感を優先した従来品Ａと同等の楽な着用感、及び、動きへの追従性を得ることができるにも関わらず（評価１）、バストの造形性を優先した従来品Ｂと同等のバストの造形性をも得ることが可能であることがわかる（評価２）。
【００５８】
なお、これらの評価結果は、１７歳〜２４歳に限定されることなく、すべての年齢層に受け入れられるものであり、本発明の特徴は、すべての年齢層向けのカップ部を有する衣類に適用可能である。
【符号の説明】
【００５９】
１，１Ａ…ブラジャー、１０…カップ部、１２…土台部、１４…バック部、１６…ストラップ部、２０…カップくり部、２１…カップくり部の前中心側端部、２２…カップくり部の脇側端部、３０…カップワイヤー、３１…カップワイヤーの前中心側端部、３２…カップワイヤーの脇側端部、４０，４０Ａ…拡張抑制部。
【図１】
2014196582.tif 000004
【図２】
2014196582.tif 000005
【図３】
2014196582.tif 000006
【図４】
2014196582.tif 000007
【図５】
2014196582.tif 000008
【図６】
2014196582.tif 000009
【図７】
2014196582.tif 000010